(57)【要約】      （修正有）【課題】青果物包装の改良構造を提供する。【解決手段】本考案の構造は、四角形前板と、前板の左右側縁に、それぞれ、後方向に延伸して形成された左側板と右側板と、左右側板の後縁に、接続した後板からなるフレーム１０からなる。フレーム１０の下段内部に、第一支承部２０を形成し、第一支承部２０は、Ｌ字型を呈する第一角板、第二角板、第三角板、第四角板を有する。左側板上に第一開口を設け、右側板上に第二開口を設け、フレームの内部に、青果物３１を収容する収容空間を形成し、フレームの上段内部に、第二支承部４０を形成し、第二支承部４０の構造は、第一支承部２０と対称相同である。【選択図】図５
0003109793.tif 000002
【実用新案登録請求の範囲】
【請求項１】
青果物包装の改良構造であって、直立状態の四角形前板と、前記前板の左右側縁に、それぞれ、後方向に延伸して形成された左側板と右側板と、前記左右側板の後縁に、接続した後板と、からなる回収可能な紙材料からなるフレームから構成され、
前記前板の下段左右側に、それぞれ、第一前ノッチと第二前ノッチを形成し、前記左側板の下段前後側に、それぞれ、第一左ノッチと第二左ノッチを形成し、前記右側板の下段前後側に、それぞれ、第一右ノッチと第二右ノッチを形成し、前記後板の下段左右側に、それぞれ、第一後ノッチと第二後ノッチを形成し、
前記フレームの下段内部に、第一支承部を形成し、前記第一支承部は、Ｌ字型を呈する第一角板、第二角板、第三角板、第四角板を有し、前記第一角板の両外端縁は、それぞれ、前記第一前ノッチと前記第一左ノッチの内縁に連結し、前記第二角板の両外端縁は、それぞれ、前記第二前ノッチと前記第一右ノッチの内縁に連結し、前記第三角板の両外端縁は、それぞれ、前記第二左ノッチと前記第一後ノッチの内縁に連結し、前記第四角板の両外端縁は、それぞれ、前記第二右ノッチと前記第二後ノッチの内縁に連結し、
前記左側板上に第一開口を設け、前記右側板上に第二開口を設け、前記フレームの内部に、青果物を収容する収容空間を形成し、前記フレームの上段内部に、第二支承部を形成し、前記第二支承部の構造は、前記第一支承部と対称相同であることを特徴とする包装構造。
【請求項２】
前記第一開口の底縁から下方向に第一立板が延伸し、前記第一立板の底縁から、右方向に、第一水平板が延伸し、前記第二開口の底縁から下方向に第二立板が延伸し、前記第二立板の底縁から、右方向に、第二水平板が延伸することを特徴とする請求項１に記載の包装構造。
【請求項３】
前記フレームの高度を延長し、前記フレームの上段に、第三支承部を形成し、前記第三支承部の構造と前記第一支承部は対称相同であるので、二つ目の青果物を放置することが出来ることを特徴とする請求項１、或いは、２に記載の包装構造。
【考案の詳細な説明】
【技術分野】
【０００１】
本考案は、包装構造に関するものであって、特に、青果物包装の改良構造に関するものである。
【背景技術】
【０００２】
青果物は、採集した後、青果物屋や、スーパーマーケット等の販売場所に展示され、例えば、トマトで言うと、青果物が衝撃を受けて損傷したり、腐りやすくなるのを防止するため、通常、トマトをビニール袋に装入する。しかし、ビニールは、環境保全の観点から見て、排水口を詰まらせたり、河川に漂流して環境破壊に繋がる。
【特許文献１】特開２０００−３３５５６０号公報
【考案の開示】
【考案が解決しようとする課題】
【０００３】
本考案は、上述の問題を解決するため、ビニール包装材を使用せずに、環境汚染問題を改善する青果物包装の改良構造を提供することを目的とする。
【課題を解決するための手段】
【０００４】
本考案の包装構造は青果物包装の改良構造であり、四角形前板と、前板の左右側縁に、それぞれ、後方向に延伸して形成された左側板と右側板と、左右側板の後縁に、接続した後板からなるフレームからなる。フレームの下段内部に、第一支承部を形成し、第一支承部は、Ｌ字型を呈する第一角板、第二角板、第三角板、第四角板を有する。左側板上に第一開口を設け、右側板上に第二開口を設け、フレームの内部に、青果物を収容する収容空間を形成し、フレームの上段内部に、第二支承部を形成し、第二支承部の構造は、第一支承部と対称相同である。
すなわち本考案の包装構造は、青果物包装の改良構造であって、
請求項１に記載するように、直立状態の四角形前板と、前記前板の左右側縁に、それぞれ、後方向に延伸して形成された左側板と右側板と、前記左右側板の後縁に、接続した後板と、からなる回収可能な紙材料からなるフレームから構成され、
前記前板の下段左右側に、それぞれ、第一前ノッチと第二前ノッチを形成し、前記左側板の下段前後側に、それぞれ、第一左ノッチと第二左ノッチを形成し、前記右側板の下段前後側に、それぞれ、第一右ノッチと第二右ノッチを形成し、前記後板の下段左右側に、それぞれ、第一後ノッチと第二後ノッチを形成し、
前記フレームの下段内部に、第一支承部を形成し、前記第一支承部は、Ｌ字型を呈する第一角板、第二角板、第三角板、第四角板を有し、前記第一角板の両外端縁は、それぞれ、前記第一前ノッチと前記第一左ノッチの内縁に連結し、前記第二角板の両外端縁は、それぞれ、前記第二前ノッチと前記第一右ノッチの内縁に連結し、前記第三角板の両外端縁は、それぞれ、前記第二左ノッチと前記第一後ノッチの内縁に連結し、前記第四角板の両外端縁は、それぞれ、前記第二右ノッチと前記第二後ノッチの内縁に連結し、
前記左側板上に第一開口を設け、前記右側板上に第二開口を設け、前記フレームの内部に、青果物を収容する収容空間を形成し、前記フレームの上段内部に、第二支承部を形成し、前記第二支承部の構造は、前記第一支承部と対称相同であることを特徴とする。
請求項２に記載するように、前記第一開口の底縁から下方向に第一立板が延伸し、前記第一立板の底縁から、右方向に、第一水平板が延伸し、前記第二開口の底縁から下方向に第二立板が延伸し、前記第二立板の底縁から、右方向に、第二水平板が延伸することを特徴とする。
請求項３に記載するように、前記フレームの高度を延長し、前記フレームの上段に、第三支承部を形成し、前記第三支承部の構造と前記第一支承部は対称相同であるので、二つ目の青果物を放置することが出来ることを特徴とする。
【考案の効果】
【０００５】
環境に優しい青果物包装構造を提供することが出来る。
【考案を実施するための最良の形態】
【０００６】
（第一実施例）
図１〜図６は、本考案の第一実施例を示す図である。本構造は、回収可能な紙材料からなるフレーム１０からなり、直立状態の四角形前板１１、前板１１の左右側縁に、それぞれ、後方向に延伸して形成された左側板１２と右側板１３、左右側板１２、１３の後縁に、更に後板１４が接続している。
【０００７】
図１で示されるように、まず、ナイフなどの工具を利用して、フレーム１０の所定位置に、若干の切り込み線を入れる。
【０００８】
図２、図３で示されるように、前板１１の下段左右側に、それぞれ、第一前ノッチ１１１と第二前ノッチ１１２を形成し、左側板１２の下段前後側に、それぞれ、第一左ノッチ１２１と第二左ノッチ１２２を形成する。右側板１３の下段前後側に、それぞれ、第一右ノッチ１３１と第二右ノッチ１３２を形成し、後板１４の下段左右側に、それぞれ、第一後ノッチ１４１と第二後ノッチ１４２を形成する。
【０００９】
これにより、フレーム１０の下段内部に、第一支承部２０を形成し、第一支承部２０は、Ｌ字型を呈する第一角板２１、第二角板２２、第三角板２３、第四角板２４を有し、第一角板２１の両外端縁は、それぞれ、第一前ノッチ１１１と第一左ノッチ１２１の内縁に連結し、第二角板２２の両外端縁は、それぞれ、第二前ノッチ１１２と第一右ノッチ１３１の内縁に連結する。第三角板２３の両外端縁は、それぞれ、第二左ノッチ１２２と第一後ノッチ１４１の内縁に連結し、第四角板２４の両外端縁は、それぞれ、第二右ノッチ１３２と第二後ノッチ１４２の内縁に連結する。
【００１０】
左側板１２上に第一開口１５を設け、右側板１３上に第二開口１６を設け、第一開口１５の底縁から下方向に第一立板１５１が延伸し、第一立板１５１の底縁から、右方向に、第一水平板１５２が延伸する。第二開口１６の底縁から下方向に第二立板１６１が延伸し、第二立板１６１の底縁から、右方向に、第二水平板１６２が延伸する。フレーム１０の内部に、青果物３１を収容する収容空間３０を形成する。また、フレーム１０の上段内部に、第二支承部４０を形成し、第二支承部４０の構造は、第一支承部２０と対称相同である。
【００１１】
これにより、本考案の構造が、スーパーマーケット等の販売場所に展示される時、消費者は、第一開口１５、或いは、第二開口１６から、はっきりと青果物の様子が見え、青果物は、フレーム１０の保護を受けて、衝撃を受けることがない。
【００１２】
（第二実施例）
図７は、本考案の第二実施例を示す。本構造は、フレーム１０の構造を延長し、フレーム１０の上段に、第三支承部５０を形成し、更に、青果物３２を放置することができるものである。
【００１３】
（第三実施例）
図８は、本考案の第三実施例を示す。本構造は、フレーム１０は、更に、青果物３３を放置することができ、且つ、最上方に、紙製品である取っ手６０を設けている。
【００１４】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１５】
【図１】本考案の第一実施例の製作工程を示す図である。
【図２】本考案の第一実施例の製作工程を示す図である。
【図３】図２の３−３線に沿った断面を示す図である。
【図４】第一開口１５と第二開口１６の製作工程を示す図である。
【図５】本考案の第一実施例の使用状況を示す図である。
【図６】図５中の６−６線に沿った断面を示す図である。
【図７】本考案の第二実施例を示す図である。
【図８】本考案の第三実施例を示す図である。
【符号の説明】
【００１６】
１０…フレーム  
１１…前板
１１１…第一前ノッチ
１１２…第二前ノッチ
１２…左側板
１２１…第一左ノッチ
１２２…第二左ノッチ
１３…右側板
１３１…第一右ノッチ
１３２…第二右ノッチ
１４…後板
１４１…第一後ノッチ
１４２…第二後ノッチ
２０…第一支承部
２１…第一角板
２２…第二角板
２３…第三角板
２４…第四角板
３０…収容空間
３１、３２、３３…青果物
４０…第二支承部
５０…第三支承部
６０…取っ手
【図１】
0003109793.tif 000003
【図２】
0003109793.tif 000004
【図３】
0003109793.tif 000005
【図４】
0003109793.tif 000006
【図５】
0003109793.tif 000007
【図６】
0003109793.tif 000008
【図７】
0003109793.tif 000009
【図８】
0003109793.tif 000010